(57)【要約】  電力下部構造体及び冷却下部構造体を備えたバックプレーン組立体が提供される。バッテリーモジュールをバックプレーン組立体に係合させることができる。係合時、電力下部構造体中の電力コネクタがバッテリーモジュールに設けられている対応の電力コネクタと係合する。冷却下部構造体を通って移動する冷却流体がバッテリーモジュールの方へ差し向けられて、動作中のバッテリーモジュールを冷却する。バックプレーン組立体は、排気下部構造体を更に含むのが良い。バッテリーモジュールによって抜き出されたガスが排気下部構造体を通って移動してバックプレーン組立体から遠ざかるよう差し向けられる。
2019516229.tif 000002
【特許請求の範囲】
【請求項１】
複数のバッテリーモジュールと係合するバックプレーン組立体であって、前記バックプレーン組立体は、バッテリーモジュール受け入れ側部を備えるとともに前記バッテリーモジュールを受け入れ側部と反対側の側部に別々の下部構造体を有し、前記別々の下部構造体は、
前記バッテリーモジュール受け入れ側部に隣接して位置する電力下部構造体を含み、前記電力下部構造体は、前記バックプレーン組立体と係合した前記バッテリーモジュールのうちの１つ又は２つ以上の電気コネクタと対応関係をなして係合するよう配置された電気コネクタを有し、
前記バッテリーモジュール受け入れ側部と流体連通関係をなして前記電力下部構造体に隣接して位置する冷却下部構造体を含み、前記冷却下部構造体は、前記冷却下部構造体を通って移動している冷却流体が前記バッテリーモジュール受け入れ側部の方へ差し向けられて前記バックプレーン組立体と係合状態にある前記バッテリーモジュールのうちの１つ又は２つ以上を冷却し、前記冷却下部構造体は、更に、前記冷却下部構造体に導入された冷却流体が前記バッテリーモジュール受け入れ側部に到達する前に前記冷却下部構造体を通って移動するよう構成されている、バックプレーン組立体。
【請求項２】
前側の側部及び複数のバッテリーベイを有するバッテリーラックを更に含み、前記バックプレーン組立体は、前記バッテリーラックの後側の側部を定め、各バッテリーベイは、前記バッテリーラックの前記前側の側部を通って前記バッテリーモジュールのうちの１つを受け入れるよう構成されている、請求項１記載のバックプレーン組立体。
【請求項３】
前記バッテリーモジュール受け入れ側部と流体連通関係をなして前記冷却下部構造体に隣接して位置する排気下部構造体を更に含み、前記排気下部構造体は、前記バックプレーン組立体と係合状態にある前記バッテリーモジュールのうちの１つ又は２つ以上によって抜き出された排気ガスが前記バックプレーン組立体から遠ざかる方向に差し向けられるよう構成されている、請求項１又は２記載のバックプレーン組立体。
【請求項４】
前記電力下部構造体の前記電気コネクタは、前記電気コネクタが前記バックプレーン組立体と係合状態にある前記バッテリーモジュールのうちの１つ又は２つ以上の対応の電気コネクタと係合するよう位置決めされている、請求項１〜３のうちいずれか一に記載のバックプレーン組立体。
【請求項５】
前記バックプレーン組立体と係合状態にあるバッテリーモジュールの前記電気コネクタのうちの少なくとも幾つかは、垂直整列関係をなして位置決めされている、請求項４記載のバックプレーン組立体。
【請求項６】
前記電力下部構造体は、通信ポートを更に有し、前記通信ポートは、前記通信ポートが前記バックプレーン組立体と係合状態にある前記バッテリーモジュールのうちの１つ又は２つ以上の対応の通信ポートと係合するよう位置決めされている、請求項１〜５のうちいずれか一に記載のバックプレーン組立体。
【請求項７】
前記バッテリーベイは、バッテリーモジュールを前記バッテリーラックの前記前側の側部経由でバッテリーベイ中に滑り込ませてついには前記バッテリーモジュールが嵌合位置にあるようにすることによってバッテリーモジュールを受け入れるよう構成され、前記嵌合位置では、前記バッテリーモジュールの前記電気コネクタは、前記電力下部構造体の対応の電気コネクタと係合する、請求項２〜６のうちいずれか一に記載のバックプレーン組立体。
【請求項８】
前記電気コネクタ及び／又は前記通信ポートの係合は、ブラインド式嵌合係合方式である、請求項４〜７のうちいずれか一に記載のバックプレーン組立体。
【請求項９】
前記電力下部構造体は、各々が前記バックプレーン組立体と係合状態にある２つのバッテリーモジュールを相互に連結するよう構成された複数のバスバーを更に有する、請求項１〜８のうちいずれか一に記載のバックプレーン組立体。
【請求項１０】
前記バッテリーモジュール受け入れ側部から前記排気下部構造体まで延びるとともに前記冷却下部構造体を通過する少なくとも１つの排気チャネルを更に含む、請求項３〜９のうちいずれか一に記載のバックプレーン組立体。
【請求項１１】
各排気チャネルは、前記冷却下部構造体を通過するチャネル部分を構成し、前記チャネル部分のうちの少なくとも１つは、前記排気チャネルからの熱の放散を助けるヒートシンクを有する、請求項１０記載のバックプレーン組立体。
【請求項１２】
各下部構造体は、他の１つ又は複数の下部構造体から実質的に物理的に隔てられている、請求項１〜１１のうちいずれか一に記載のバックプレーン組立体。
【請求項１３】
前記冷却下部構造体と前記排気下部構造体は、熱を前記排気下部構造体から引き出して前記冷却下部構造体中に引き込むヒートシンクを有するバリヤによって隔てられている、請求項３〜１２のうちいずれか一に記載のバックプレーン組立体。
【請求項１４】
前記下部構造体の各々は、実質的に共通のバリヤによってその隣の１つの又は複数の下部構造体から隔てられている、請求項１〜１３のうちいずれか一に記載のバックプレーン組立体。
【請求項１５】
前記バックプレーン組立体は、前記バッテリーモジュール受け入れ側部に多数のバッテリーベイを備え、前記電力下部構造体及び前記冷却下部構造体は、更に、前記冷却下部構造体を通って移動している冷却流体が隣合うバッテリーベイを互いに隔てるチャネルに差し向けられるよう配置されている、請求項１〜１４のうちいずれか一に記載のバックプレーン組立体。
【請求項１６】
前記下部構造体は、単一の一体型構造体を形成している、請求項１〜１５のうちいずれか一に記載のバックプレーン組立体。
【請求項１７】
前記バックプレーン組立体は、前記バッテリーモジュール受け入れ側部に二次元アレイの状態に配列された多数のバッテリーベイを備え、バッテリーベイの各縦列は、左側半部及び右側半部を有し、バッテリーベイの一縦列に関し、前記電力下部構造体の前記電気コネクタは、前記縦列の前記左側半部及び前記縦列の前記右側半部のうちの一方上に位置決めされている、請求項１〜１６のうちいずれか一に記載のバックプレーン組立体。
【請求項１８】
前記アレイは、幅に関して偶数個のバッテリーベイであり、前記アレイは、バッテリーベイの１つ又は２つ以上の対をなす隣合う縦列から成り、各対は、前記バッテリーモジュール受け入れ側部に向いて見て、左縦列及び右縦列を定め、前記電力下部構造体の前記電気コネクタは、バッテリーベイの前記左縦列に関し、前記左縦列の前記右側半部上に位置決めされ、バッテリーベイの前記右縦列に関し、前記右縦列の前記左側半部上に位置決めされている、請求項１７記載のバックプレーン組立体。
【請求項１９】
前記アレイは、幅に関して奇数個のバッテリーベイでありかつ幅に関して３つ以上のバッテリーベイであり、前記アレイは、バッテリーベイの１つ又は２つ以上の対をなす隣合う縦列及びバッテリーベイの奇数個の縦列を有し、前記アレイが５つ以上の縦列を有する場合、各対をなす隣合う縦列は、別の対をなす隣合う縦列に隣接して位置し、各対は、前記バッテリーモジュール受け入れ側部に向いて見て、左縦列及び右縦列を定め、前記電力下部構造体の前記電気コネクタは、バッテリーベイの前記左縦列に関し、前記左縦列の前記右側半部上に位置決めされ、バッテリーベイの前記右縦列に関し、前記右縦列の前記左側半部上に位置決めされ、前記電力下部構造体の前記電気コネクタは、バッテリーベイの前記奇数個の縦列に関し、前記奇数個の縦列に隣接して位置する前記縦列に関する半部と同一の前記奇数個の縦列の半部上に位置決めされている、請求項１７記載のバックプレーン組立体。
【請求項２０】
バッテリーベイの各縦列は、左側の縁及び右側の縁を有し、前記左側縁と前記右側縁は、距離ｄだけ隔てられており、前記電力下部構造体の前記電気コネクタは、縦列の前記左側半部上に位置決めされている縦列に関し、前記電気コネクタは、前記左側縁からｄの３０％以下、２０％以下又は１０％以下のところにそれぞれ位置決めされ、前記電力下部構造体の前記電気コネクタが縦列の前記右側半部上に位置決めされている縦列に関し、前記電気コネクタは、前記右側縁からｄの３０％以下、２０％以下又は１０％以下のところにそれぞれ位置決めされている、請求項１７〜１９のうちいずれか一に記載のバックプレーン組立体。
【請求項２１】
前記バックプレーン組立体と係合するとともに前記バックプレーン組立体に電気的に接続された１つ又は２つ以上のバッテリーモジュールを更に含む、請求項１〜２０のうちいずれか一に記載のバックプレーン組立体。
【請求項２２】
複数の電気的に相互に接続されたバッテリーモジュールを動作させる方法であって、各バッテリーモジュールは、バッテリーモジュール受け入れ側部を定めるとともに前記バッテリーモジュール受け入れ側部と反対側の側部上に別々の下部構造体を含むバックプレーン組立体と係合し、前記別々の下部構造体は、
前記バッテリーモジュール受け入れ側部に隣接して位置する電力下部構造体を含み、前記電力下部構造体は、前記バッテリーモジュールの電気コネクタと対応関係をなして係合した電気コネクタを有し、
前記電力下部構造体に隣接して位置する冷却下部構造体を含み、前記冷却下部構造体は、前記冷却下部構造体から前記バッテリーモジュール受け入れ側部までの流体流路を提供し、
前記方法は、
前記電気コネクタを用いて電力を前記バッテリーモジュールのうちの１つ又は２つ以上から引き出し又は電力を前記バッテリーモジュールのうちの１つ又は２つ以上に提供するステップと、
冷却流体を差し向けて前記冷却流体が前記冷却下部構造体から前記バッテリーモジュール受け入れ側部に流れ、前記冷却流体が前記バッテリーモジュール受け入れ側部に達する前に前記冷却下部構造体を通って移動するようにするステップとを含む、方法。
【請求項２３】
前記バックプレーン組立体は、前記冷却下部構造体に隣接して位置する排気下部構造体を更に含み、前記排気下部構造体は、前記バッテリーモジュール受け入れ側部から前記排気下部構造体までの流体流路を構成している、請求項２２記載の方法。
【発明の詳細な説明】
【技術分野】
【０００１】
本発明は、複数のバッテリーモジュールと係合するバックプレーン組立体、特に一体型バックプレーン組立体を備えたバッテリーラックに関する。
【背景技術】
【０００２】
充電式電池の一形式は、種々の混合酸化物又はかんらん石によってアクティブ状態にされる正電極、特定の酸素によってアクティブ状態にされる負電極、及び分離器を含む多層構造体を有するリチウムイオンバッテリーであり、これらのバッテリー構成要素は全て、有機電解質内に浸漬されている。バッテリーは、典型的には、バッテリーモジュールを形成するようエンクロージャ内に収容されている。通常の動作条件中、電気エネルギーが充電の際に化学エネルギーに変換されてこの化学エネルギーとして蓄えられ、そして蓄えられた化学エネルギーは、放電の際に電気エネルギーに変換される。具体的に説明すると、充電中、正電極のリチウムは、イオン化され、このリチウムは、層から層に移動して負電極に至り、放電中、イオンは、正電極に移動し、そしてその元の化合物に戻る。多数のリチウムイオンバッテリーモジュールをラック組立体に取り付けると、バッテリーパックを形成することができる。
【０００３】
バッテリーモジュール用の現行のラックには種々の問題がある。バッテリーモジュールは、典型的には、これらの前側フェース上に正及び負のコネクタを含み、電力ケーブル組立体がこれら正負のコネクタに接続されて開閉装置又はスイッチギア（パックコントローラ）で終端するモジュールのストリングを形成する。また、冷却剤入口及び出口連結部が典型的には、バッテリーモジュールの前側フェースに設けられている。外部可撓性ホースがこれら冷却剤取り付け部をラックシステムの前面に取り付けられた外部剛性管に連結する。かかる連結は、設置したり点検整備したりするのが困難かつ大きな労働力を有する場合が多く、圧着上の問題に起因して貧弱な製造上の品質のものとなり、更に、設置業者／点検整備業者による配線ミスが起こりやすく、それにより短絡が生じる場合がある。さらに、ケーブルがラックの前側フェース上に露出される場合が多いので、これらケーブルは、他の機器又は活動に起因する衝撃／機械的損傷を受ける。モジュールの前側フェース上に露出されるケーブルにより、バッテリーパックはまた、冷却剤がバッテリー室の隣接区域内のフロア上にこぼれ落ちる場合のある冷却剤の漏れの恐れを生じる状態にある。
【０００４】
現行のバッテリーパックに関し、バッテリーモジュールの設置／点検整備はまた、比較的複雑なプロセスである。モジュールを設置し又はモジュールをバッテリーパックから取り出すため、モジュールがラックからの設置／取り外しを自由に行うことができるようにするまで、上述の個々のインターフェースの全ての接続／分解が一般的に必要になる。
【０００５】
さらにまた、バッテリーモジュールの種々の物理的構成に対応するには多数のケーブル長さが必要である場合が多い。この結果、電源回路が複雑でありかつ過度に長くなる場合がある。電力回路は、ケーブルジャケットが互いに接触した状態でそれ自体クロスオーバーすることになり、その結果、潜在的なホットスポットが生じる。ケーブル布設の結果として生じる全体的なループ領域は、大きい場合があり、それにより潜在的に電磁干渉（ＥＭＩ）の問題が生じる。
【０００６】
上述のリチウムイオンバッテリーは、海運業界において普及している。バッテリーは、典型的には、一日２４時間の動作が行われ、しかも一年のうちほぼ毎日である。バッテリーに課されるこれら高いエネルギー需要のために、これらの性能を定期的にモニタしてこれらの寿命の間、これら電池が安全上の要件を適切に満たしているようにすることが重要である。
【０００７】
性能の低下を生じるバッテリーモジュールは、当業界において「熱暴走」として知られている現象を生じがちである。例えば、過電圧、過電流、又は過剰温度のある特定の極端な環境においては、「自己発熱」と呼ばれる状態がリチウムイオンバッテリー内に生じることがあり、それによりバッテリーは、熱暴走状態に入ることがある。自己発熱は、バッテリーセルの内部電気化学構造がこの内部の温度を上昇させる状態である。熱暴走は、バッテリーセル内の内部温度が、化学反応が起こって可燃性ガスが放出されるレベルまで増大したときに起こる。バッテリーセルを収容したエンクロージャ内に十分な酸素が存在する場合、可燃性ガスが着火して相当な量のエネルギーを放出する。単一のバッテリーモジュール内の熱暴走の効果は、極めて劇的でありかつ損傷を与える場合がある。熱暴走が起こると、少量の酸素が発生し、内部エネルギーが８００℃を超える温度まで上昇することがある。これら現象の組み合わせにより、内部出火、過度のガス発生及びその結果としてリチウムイオンセルの周りのエンクロージャの破壊が起こることがある。熱暴走の防止は、極めて重要であり、したがって、バッテリーモジュール温度を許容可能な範囲内に保つために用いられる冷却システムができるだけ効率が高くなければならない。
【発明の概要】
【発明が解決しようとする課題】
【０００８】
先行技術のバッテリーラック、特に海運業において用いられるバッテリーラックに直面する種々の問題を考慮して、先行技術の直面している課題のうちの少なくとも幾つかに対する解決手段を提供することが望ましい。
【課題を解決するための手段】
【０００９】
以下の説明は、一般的な意味において開示内容の概観を提供するものであり、本発明の範囲に対する限定として理解されるべきではない。
【００１０】
一体型組立体を有するバックプレーンを備えたバッテリーラッキング構造体が説明される。バックプレーン付きのラックは、追加の外部コネクタ、ケーブル、管、ホース、又は通気ダクトを何ら必要としないでバッテリーモジュールを動作させるのに必要な機能を提供することができる。ラックは、単にモジュールをモジュールベイ又はバッテリーベイ中に滑り込ませて締結具又は他の何らかのロック機構体により締結することにより必要なインターフェース接続を提供することができる。
【００１１】
ブラインド式嵌合接続方式は、バッテリーモジュールを摺動させてこれをラッキング構造体内において動作位置にロックすることによって自動的に形成されるのが良い。バッテリーモジュールの後部のところに設けられた電力ピンがバックプレーン組立体内に固定された電力ソケットと係合したときに電力接続部が形成されるのが良い（又は、逆の場合においては、バックプレーン組立体内の電力ピンがバッテリーモジュールの後部のところに設けられたソケットと係合する）。
【００１２】
電力ソケットは、各々、バスバーに接続されるのが良く、その結果、バッテリーモジュールの全てがラック内に設置されると、完全な直列ストリングが形成され、このストリングの両端部（正及び負）は、電力スイッチギア装置又はパックコントローラで終端する。相互接続バスバーは、僅かな位置合わせ不良を許容するよう柔軟性があるのが良く、したがって、コネクタを着座させるのに必要な最小限の力で正確な嵌まり合いが可能である。
【００１３】
モジュールの動作位置では、バッテリーモジュールの後部のところに設けられた皮下リポートがバックプレーン組立体内に固定された光ポートの十分な近接範囲内に入ったときに光接続部が形成されるのが良い。光媒体は、好ましくは、安価な低帯域幅ライトパイプ材料である。光インターフェース空隙は、位置合わせ不良を十分に許容することができ、したがって、正確な位置合わせを保証するには一般的に非高精度コンポーネント又は特定の位置合わせ／較正手順が必要とされるに過ぎない。
【００１４】
バッテリーモジュールは、１つ又は２つ以上の雄型／雌型排気ポートを備えるのが良く、これらポートは、通常のバッテリー動作条件下においてシールを提供する。関連の圧力上昇により高いセル温度状態が万が一生じた場合、１つ又は２つ以上のバッテリーセルは、毒性ガスを出す場合がある。この状況下において、排気シールは、高いガス温度に起因して溶け去ることによって開くことになり（又は圧力によって開くことになり）、かくして、バッテリーモジュールの外部にガスが放出されるとともに差し向けられる。バックプレーン組立体は、雄型モジュールポートを受け入れる合致する相手方の雌型／雄型排気ポートを備えるのが良い。ガス排出現象の場合、ガスは、バックプレーン組立体中に安全に差し向けられるのが良く、更に、安全取り扱い場所に差し向けられるのが良く、その結果、バッテリーシステムのすぐ付近に逃げ込むガスが存在しないようになる。
【００１５】
空冷式ラックの場合、ラックバックプレーンは、一体型空気送り出しシステムを備えるのが良く、その結果、冷却用空気が前方にかつ各バッテリーモジュールに設けられているフィン付きヒートシンク構造体上に／中に差し向けられるようになっている。次に、加熱状態の空気がラック組立体の前側フェースのところで排出されるのが良い。かかる較正は、例えば室内の低温空気が主としてフロアレベルのところに位置している場合に好ましいと言える。空気送り出しシステムは、フロアレベルの近くでラックの底部のところに位置決めされるのが良く、この空気送り出しシステムは、空気をバックプレーン組立体中に押し又は引くことができる。変形例として、空気送り出しシステムがラックの頂部のところに配置されている場合、低温空気をラック組立体の頂部から底部に向かってバックプレーン沿いに下方に押すのが良く、次に、かかる低温空気をフロアレベルのところでラック組立体の底部から放出するのが良い。この同じ形態では、これとは異なり、空気を、バックプレーン組立体を通って上方に引き上げることができ（空気送り出しシステムがラック頂部のところに配置されている場合）、そして頂部のところで放出することができる。好ましい形態は、一般に、空気送り出しシステムがラックの底部のところに配置されていて空気をバックプレーン組立体中に吸い込み（又は引き込む）よう構成されている形態である。空気送り出しシステムは、種々のバッテリーモジュール形態に対応するよう構成されているのが良く、かかるバッテリーモジュール形態としては、シングル型ヒートシンクを備えたモジュールやデュアル式ヒートシンク（１つがバッテリーモジュールの頂部のところに設けられ、もう１つがバッテリーモジュールの底部のところに設けられている）を備えたモジュールが挙げられる。
【００１６】
各バッテリーモジュールは、バックプレーン組立体内の冷却剤送り出し接続部と対応関係をなして結合するよう配置された入口及び出口を有する一体型冷却プレートを備えるのが良い。したがって、冷却剤をバッテリーモジュールに通して差し向けることができ、それによりバッテリーモジュールを冷却することができる。
【００１７】
垂直に差し向けられたラックの場合、スイッチギア又はパックコントローラは、好ましくは、最も上側の又は最も下側のベイ内に配置され、かくして電力回路の単純なループ構成の実現が可能である。例えば、パックコントローラが左上のベイ内に配置されている場合、電力接続部は、ラックの左側部沿いに下方に進み、ラックの底部のところでくるりと向きを変え、次にラックの右側部沿いに上方に進むのが良い。電力分配バスバーの長さ及び複雑さを最小限に抑えるため、各バッテリーモジュールは、その電力ポートがモジュールの後部のところで一方の側にかつ更に垂直に（上下に）配置された状態で設計されるのが良く、その結果、モジュールが例えば幅に関してベイ２つ分であり高さに関してベイ６つ分であるラック中に装填されると、バッテリーの各縦列内の電力ポートは、垂直に整列する。さらに、その結果、電力ポートは全て、ラックの側部のいずれか一方ではなく、ラックの中心線に隣接しかつこの近くに位置する。
【００１８】
上述したように、バッテリーモジュールをラック内に各縦列について互いに異なる垂直の向きで設置することによって、全体として短い電気経路長さを達成することができる。例えば、バッテリーモジュールをこれらの電力ポートがラックの左側の縦列内の右後ろに位置した状態で設置することができるが、バッテリーモジュールの垂直の向きを逆にすることによって、バッテリーモジュールをこれらの電力ポートがラックの右側縦列内の左後ろに配置した状態で設置することができる。バッテリーをこのように設置することにより、相互に接続されるバスバーの長さを最小限に抑えることができ、それによりコストを減少させ、電力回路抵抗を最小限に抑え、しかもＥＭＩの減少のために密閉ループ領域を最小限に抑えることができる。加うるに、バスバーについて必要なサイズ／長さは１つだけであり、それによりサプライチェーンの製造が単純化されるとともにコストが一段と減少する。バッテリーモジュールは、上述の２つの垂直向きのいずれか一方における設置を可能にするよう適切に設計可能であり、しかも好ましくは、これらの水平中心線に関して対称である。
【００１９】
バックプレーン組立体は、３つの別々の垂直下部構造体又はプレーンを含む野が良い。第１の「パワープレーン」は、バッテリーモジュールの後部の最も近くに位置するのが良く、しかも電力分配及び通信媒体を収容することができる。設置のしやすさ及びコスト減少に加えて、この構成は、電流を流す要素及び電力分配要素の全てが金属製構造体内に封入され、それにより電磁遮蔽が可能であるという別の利点を奏することができる。他の望ましい利点は、以下を含むことができる。
‐バッテリー挿入によるバックプレーンへのバッテリーモジュールの自動接続、
‐他の近くの又は隣接の機器に対する放射妨害波の潜在的な影響の軽減、
‐他の近くの又は隣接の機器からの潜在的な影響からのバッテリーシステムの放射イミュニティの向上、
‐電源導体遮蔽の必要性がなくなること（ラックがアース又は船舶の船体接地に結合される場合）、及び
‐導体に施される絶縁ジャケットの必要性がなくなること（と言うのは、導体が完全に包囲されるので通常の動作中においてはこれには接近できないからである）。
【００２０】
「冷却プレーン」が電力プレーンに隣接して位置するのが良い。空冷式バッテリーラックの場合、ラックは、空気を各バッテリー縦列のベースに水平に分配する中央プレナムから成る一体型空気送り出しシステムを備えるのが良い。このプレナムは、ラックの後部のところでバックプレーンの冷却プレーンに連結されるのが良く、それにより空気を各バッテリー縦列の後ろに垂直に差し向ける。各バッテリーの後部のところにおいて、空気を各モジュールのフィン付きヒートシンクを横切って前方に差し向けるのが良い。
【００２１】
液冷式ラックの場合、バックプレーン内に組み込まれたラックプレナム及び管路系統は、各モジュールの液体送り出しを可能にするよう追加の機器を備えた状態で構成されるのが良い。各モジュールに設けられている液体入力及び出力との連結を可能にするため、バックプレーンは、互いに嵌合するコネクタを備えるのが良い。これらコネクタは、バックプレーン組立体内にルーズに捕捉されるとともに可撓性ホースによって剛性流体マニホルドに連結されるのが良い。このように、流体連結は、僅かな機械的位置合わせ不良を許容することができ、正確な嵌まり具合及びシールがバッテリーモジュールをベイ内に設ける際に最小限の挿入力で形成できる。
【００２２】
剛性流体マニホルド、入口及び出口は、冷却プレーン内で各バッテリー縦列の後ろに垂直に差し向けられるのが良くかつ過度の圧力降下を阻止するよう寸法決めされるのが良い。垂直マニホルドは、硬質給排水管路（hard plumbing line）から構成でき、そしてバックプレーン組立体に固定でき、あるいは、好ましくは、押し出し加工によって形成された一体型チャネルであり、したがって、全体がバックプレーン組立体中に組み込み可能である。垂直マニホルドは、更に、バックプレーンの頂部又は底部のところで、ラック全体としての役目を果たす大型マニホルド中に連結されるのが良い。加うるに、多数のラックを相互に連結するのが良く、その結果、単一の組をなす入口／出口ポート連結部が多数のラックをまかなうことができる。
【００２３】
冷却システムは、ラックの外側に位置する空気ブロワ及び／又は冷却剤チラーに連結されるのが良い。これらシステム（空気又は液体）のいずれもパックコントローラから制御でき又はパックコントローラから指令を受け取ることができ、その目的は、個々のバッテリーモジュールから集められた情報に基づいて作動及び／又は調整が行われるようにすることにある。例えば、バッテリーモジュールに関する温度データを集めるために配置された温度センサは、かかる情報を通信システム経由でパックコントローラに提供することができる。制御は、船舶又はフェリーの地理的位置を考慮に入れて、船舶搭載型ナビゲーション機器との一体化によりいっそう改良できる。例えば、地理的位置（例えば、北海に対する南アメリカ沿岸領域）は、全体的熱管理／冷却設定値に寄与することができる。加うるに、ある特定の形式の船舶、すなわちフェリーの場合、航路の情報は、より効率的かつ最良のバッテリーモジュール冷却を可能にするよう動作インテリジェンスとして用いることができる。例えば、バッテリーパックは、典型的には、船舶がドッキングしているとき又はドックに位置している間に積み込みを受けているときに激しく働かされる場合がある。この場合、冷却システムは、バッテリーが重い負荷を送り出すために要求される前にバッテリーをあらかじめ冷却するために用いられるのが良く、その結果、バッテリー温度のオーバーシュートが回避される。一般的に言って、温度を安定にかつできるだけ均一に保つことは、バッテリーセルの寿命に対してプラスに寄与する。
【００２４】
冷却プレーンに隣接して、バックプレーン組立体の第３のプレーン、すなわち「排気プレーン」が位置するのが良い。排気プレーンは、排気ガスをラックから遠ざかるよう差し向けるためのチャネルとなる。モジュール排気ポートは、バックプレーン排気コレクタポート中に結合し、これらバックプレーン排気コレクタポートは、排気ガスを電力及び冷却プレーンに通して排気チャネル経由で排気プレーン中に送る。
【００２５】
バックプレーン組立体の第３のプレーン内に配置されているバックプレーン排気システムは、排気チャネルに追加の長さをもたらすことができる。これは、２つのシステム上の利点をもたらすことができる。第１に、バックプレーン排気チャネルは、これらがオプションとしてフレームアレスタ（火炎防止器）を備えることができるようにするのに十分な長さを有することができ、その目的は、モジュールから出る潜在的な火炎が十分に冷やされて排気プレーンに入ることがないようにすることにある。第２に、排気チャネルは、冷却プレーンを貫通して延びるので、これら排気チャネルは、冷却システムと一体化されるのが良く、かくして、バッテリーモジュールと同様な仕方で冷却される。空冷式システムの場合、排気チャネルは、好ましくは、効率的な熱の抽出を可能にするためにフィンを備える。液冷式システムの場合、排気チャネルは、効率的な熱抽出を可能にするよう入口／出口冷却マニホルド中に形成されるのが良い。加うるに、冷却が排気プレーンに隣接して行われるので、空冷の場合、冷却プレーンと排気プレーンを隔てる壁は、好ましくは、排気プレーンから冷却プレーンへの熱伝達を可能にするようヒートシンクフィンを備える。
【００２６】
排気プレーンの頂部には、追加の管路系統が設けられるのが良く、その結果、排気ガスは、ラック組立体から更に送り出されて安全な外部の場所に至ることができ、かくして排気ガスがバッテリーラックの付近に溜まるのが阻止される。排気プレーンは、負圧を提供する抽出ポンプにより能動的に排気されるのが良くかつ／あるいは自然に上方へのガス抜きが行われるようになっているのが良い。抽出ポンプ／ファンシステムの場合、システムは、パックコントローラにより制御されるとともに温度センサから集められた情報に基づいて作動されるとともに／あるいは調節されるのが良い（上述したように）。加うるに、パックコントローラは、冷却システムが作動中のままであるようにするよう働くのが良く、更に潜在的なモジュールガス抜き現象の間、冷却システム容量に対する電力を増大させて上述したように排気チャネル冷却を可能にするのが良い。パックコントローラはまた、適当な安全警報器と連絡することができ、ラックを収容した室内の適当な視覚表示器を作動させることができ、そしてバッテリーを必要ならばバックプレーン組立体から切り離すことができる。
【００２７】
本発明の第１の観点では、複数のバッテリーモジュールと係合するバックプレーン組立体が提供される。バックプレーン組立体は、バッテリーモジュール受け入れ側部を備えるとともにバッテリーモジュールを受け入れ側部と反対側の側部に別々の下部構造体を有し、別々の下部構造体は、バッテリーモジュール受け入れ側部に隣接して位置する電力下部構造体を含み、電力下部構造体は、バックプレーン組立体と係合したバッテリーモジュールのうちの１つ又は２つ以上の電気コネクタと対応関係をなして係合するよう配置された電気コネクタを有する。バックプレーン組立体は、バッテリーモジュール受け入れ側部と流体連通関係をなして電力下部構造体に隣接して位置する冷却下部構造体を更に含み、冷却下部構造体は、冷却下部構造体を通って移動している冷却流体がバッテリーモジュール受け入れ側部の方へ差し向けられてバックプレーン組立体と係合状態にあるバッテリーモジュールのうちの１つ又は２つ以上を冷却し、冷却下部構造体は、更に、冷却下部構造体に導入された冷却流体がバッテリーモジュール受け入れ側部に到達する前に冷却下部構造体を通って移動するよう構成されている。
【００２８】
本明細書で用いられる「隣の」という用語は、単一の分割バリヤ又はインターフェースが１つの下部構造体を別の下部構造体から隔てるという意味ですぐ隣接していることを意味することができる。変形例として、「隣の」は、多数のバリヤ又はインターフェースが２つの隣合う下部構造体を互いに隔てることができるが、本明細書において説明した下部構造体については２つの他の隣合う下部構造体を隔てるものは存在しないという意味で間接的に隣接していることを意味する場合がある。
【００２９】
本発明のバックプレーン組立体は、バッテリーモジュールについて改良した保守のしやすさを提供し、と言うのは、バッテリーラックの前のところにケーブル布設をもたらすことが必要ではないからである。バッテリーモジュール受け入れ側部はバッテリーモジュールをバックプレーン組立体と係合させるバックプレーン組立体の側部である。
【００３０】
バックプレーン組立体は、前側の側部及び複数のバッテリーベイを有するバッテリーラックを更に含むのが良い。バックプレーン組立体は、バッテリーラックの後側の側部を定めることができ、各バッテリーベイは、バッテリーラックの前側の側部を通ってバッテリーモジュールのうちの１つを受け入れるよう構成されているのが良い。バッテリーラックは、バッテリーモジュールを案内してバックプレーン組立体と係合させるのを助けることができる。バッテリーラック及びバックプレーン組立体は、単一の一体構造体を形成することができ、バックプレーン組立体は、バッテリーパックの後壁を形成する。変形例として、バッテリーパック及びバックプレーン組立体は、互いに結合され、後で互いに結合解除可能な別々のコンポーネントであって良い。
【００３１】
バックプレーン組立体は、バッテリーモジュール受け入れ側部と流体連通関係をなして冷却下部構造体に隣接して位置する排気下部構造体を更に含むのが良く、排気下部構造体は、バックプレーン組立体と係合状態にあるバッテリーモジュールのうちの１つ又は２つ以上によって抜き出された排気ガスがバックプレーン組立体から遠ざかる方向に差し向けられるよう構成されている。したがって、排気ガスは、バックプレーン組立体から安全に排出可能である。
【００３２】
電力下部構造体の電気コネクタは、電気コネクタがバックプレーン組立体と係合状態にあるバッテリーモジュールのうちの１つ又は２つ以上の対応の電気コネクタと係合するよう位置決めされるのが良い。バックプレーン組立体と係合状態にあるバッテリーモジュールの電気コネクタのうちの少なくとも幾つかは、垂直整列関係をなして位置決めされるのが良い。電気コネクタの垂直整列状態は、上述したようにバックプレーンの相互に接続された電気コネクタの電気ループ領域の減少に寄与することができる。
【００３３】
電力下部構造体は、通信ポートを更に有するのが良く、通信ポートは、通信ポートがバックプレーン組立体と係合状態にあるバッテリーモジュールのうちの１つ又は２つ以上の対応の通信ポートと係合するよう位置決めされている。通信ポートは、光ポートであるのが良く、係合は、電力下部構造体の光ポートがバックプレーン組立体と係合状態にある１つ又は２つ以上のバッテリーモジュールの光ポートの光学的に通信可能距離内に位置していることから成ると言える。電力下部構造体の通信ポートは、垂直整列状態に位置決めされるのが良い。
【００３４】
バッテリーベイは、バッテリーモジュールをバッテリーラックの前側の側部経由でバッテリーベイ中に滑り込ませてついにはバッテリーモジュールが嵌合位置にあるようにすることによってバッテリーモジュールを受け入れるよう構成されるのが良い。嵌合位置では、バッテリーモジュールの電気コネクタを電力下部構造体の対応の電気コネクタと係合させることができる。その結果、バッテリーモジュールをバックプレーン組立体に連結する追加のケーブルの必要性をなくすことができる。加うるに、バッテリー回路からのバッテリーモジュールの係合解除は、容易であり、その結果、バッテリーモジュールのそのベイからの挿入／引き出しは簡単である。
【００３５】
電気コネクタ及び／又は通信ポートの係合は、ブラインド式嵌合係合方式であるのが良い。
【００３６】
電力下部構造体は、各々がバックプレーン組立体と係合状態にある２つのバッテリーモジュールを相互に連結するよう構成された複数のバスバーを更に有するのが良い。有利には、電力下部構造体及び冷却下部構造体は、冷却下部構造体内で移動する冷却流体が電力下部構造体経由でバックプレーン組立体のバッテリーモジュール受け入れ側部に差し向けられるよう構成されているのが良い。換言すると、冷却下部構造体は、電力下部構造体とバックプレーン組立体のバッテリーモジュール受け入れ側部の両方と流体連通状態にあるのが良い。これにより、電力下部構造体の電力／通信コネクタならびにバスバーを冷却流体が冷却下部構造体からバックプレーン組立体のバッテリーモジュール受け入れ側部に動いているときに冷却することができる。
【００３７】
バックプレーン組立体は、バッテリーモジュール受け入れ側部から排気下部構造体まで延びるとともに冷却下部構造体を通過する少なくとも１つの排気チャネルを更に含むのが良い。排気ガスの追加の冷却は、排気チャネルが冷却下部構造体を通って延びていることによって提供できる。加うるに、排気ガスと冷却剤流体との望ましくない混合を回避することができる。
【００３８】
各排気チャネルは、冷却下部構造体を通過するチャネル部分を構成するのが良い。チャネル部分のうちの少なくとも１つは、排気チャネルからの熱の放散を助けるヒートシンクを有するのが良い。
【００３９】
各下部構造体は、他の１つ又は複数の下部構造体から実質的に物理的に隔てられるのが良い。
【００４０】
冷却下部構造体と排気下部構造体は、熱を排気下部構造体から引き出して冷却下部構造体中に引き込むヒートシンクを有するバリヤによって隔てられるのが良い。
【００４１】
下部構造体の各々は、実質的に共通のバリヤによってその隣の１つの又は複数の下部構造体から隔てられるのが良い。
【００４２】
バックプレーン組立体は、バッテリーモジュール受け入れ側部に多数のバッテリーベイを備えるのが良い。電力下部構造体及び冷却下部構造体は、更に、冷却下部構造体を通って移動している冷却流体が隣合うバッテリーベイを互いに隔てるチャネルに差し向けられるよう配置されるのが良い。バッテリーベイは、上述のバッテリーラックのベイと同一のベイであるのが良く、バックプレーン組立体は、ラックをバックプレーン組立体と係合させると、各バッテリーベイの後壁を構成する。
【００４３】
下部構造体は、単一の一体型構造体を形成するのが良い。したがって、バックプレーン組立体の製造を簡単にすることができる。
【００４４】
バックプレーン組立体は、バッテリーモジュール受け入れ側部に二次元アレイの状態に配列された多数のバッテリーベイを備えるのが良い。バッテリーベイは、上述のバッテリーラックのベイと同一のベイであるのが良く、バックプレーン組立体は、ラックをバックプレーン組立体と係合させると、各バッテリーベイの後壁を構成する。バッテリーベイの各縦列は、右側半部及び左側半部を有するのが良い。バッテリーベイの一縦列に関し、電力下部構造体の電気コネクタは、縦列の左側半部及び縦列の右側半部のうちの一方上に位置決めされるのが良い。これにより、バッテリーモジュールの単一の縦列（バックプレーン組立体と係合した場合）が先行技術と比較して小さな電気ループ領域を有することができ、それによりＥＭＩの減少が可能である。本明細書で用いられる「アレイ」という用語は、バッテリーベイの長方形の配列状態、幅に関してある特定の数のバッテリーベイ及び高さに関してある特定の数のバッテリーベイを意味するよう使用されている場合がある。
【００４５】
アレイは、幅に関して偶数個のバッテリーベイであり、アレイは、バッテリーベイの１つ又は２つ以上の対をなす隣合う縦列から成るのが良い。各対は、バッテリーモジュール受け入れ側部に向いて見て、左縦列及び右縦列を定めるのが良い。電力下部構造体の電気コネクタは、バッテリーベイの左縦列に関し、左縦列の右側半部上に位置決めされ、バッテリーベイの右縦列に関し、右縦列の左側半部上に位置決めされるのが良い。かくして、バッテリーモジュールの多数の縦列に関しても、先行技術と比較して小さな電気ループ領域を作ることができ、それにより、ＥＭＩの減少が可能である。
【００４６】
アレイは、幅に関して奇数個のバッテリーベイでありかつ幅に関して３つ以上のバッテリーベイであるのが良い。アレイは、バッテリーベイの１つ又は２つ以上の対をなす隣合う縦列及びバッテリーベイの奇数個の縦列を有するのが良い。アレイが５つ以上の縦列を有する場合、各対をなす隣合う縦列は、別の対をなす隣合う縦列に隣接して位置するのが良い。縦列の各対は、バッテリーモジュール受け入れ側部に向いて見て、左縦列及び右縦列を定めるのが良い。電力下部構造体の電気コネクタは、バッテリーベイの左縦列に関し、左縦列の右側半部上に位置決めされ、バッテリーベイの右縦列に関し、右縦列の左側半部上に位置決めされるのが良い。電力下部構造体の電気コネクタは、バッテリーベイの奇数個の縦列に関し、奇数個の縦列に隣接して位置する縦列に関する半部と同一の奇数個の縦列の半部上に位置決めされるのが良い。
【００４７】
バッテリーベイの各縦列は、左側の縁及び右側の縁を有するのが良く、左側縁と右側縁は、距離ｄだけ隔てられる。電力下部構造体の電気コネクタは、縦列の左側半部上に位置決めされている縦列に関し、電気コネクタは、左側縁からｄの３０％以下、２０％以下又は１０％以下のところにそれぞれ位置決めされるのが良い。電力下部構造体の電気コネクタが縦列の右側半部上に位置決めされている縦列に関し、電気コネクタは、右側縁からｄの３０％以下、２０％以下又は１０％以下のところにそれぞれ位置決めされるのが良い。
【００４８】
本発明の第２の観点では、複数の電気的に相互に接続されたバッテリーモジュールを動作させる方法が提供される。各バッテリーモジュールは、バッテリーモジュール受け入れ側部を定めるとともに反対側の側部上に別々の下部構造体を含むバックプレーン組立体と係合するのが良い。下部構造体は、バッテリーモジュール受け入れ側部に隣接して位置する電力下部構造体を含み、電力下部構造体は、バッテリーモジュールの電気コネクタと対応関係をなして係合した電気コネクタを有する。下部構造体は、電力下部構造体に隣接して位置する冷却下部構造体を更に含み、冷却下部構造体は、冷却下部構造体からバッテリーモジュール受け入れ側部までの流体流路を提供する。本方法は、電気コネクタを用いて電力をバッテリーモジュールのうちの１つ又は２つ以上から引き出し又は電力をバッテリーモジュールのうちの１つ又は２つ以上に提供するステップを含む。本方法は、冷却流体を差し向けて冷却流体が冷却下部構造体からバッテリーモジュール受け入れ側部に流れるようにするステップを更に含む。
【００４９】
バックプレーン組立体は、冷却下部構造体に隣接して位置する排気下部構造体を更に含むのが良く、排気下部構造体は、バッテリーモジュール受け入れ側部から排気下部構造体までの流体流路を提供する。
【００５０】
本発明の第３の観点では、複数のバッテリーモジュールと係合するバックプレーン組立体が提供される。バックプレーン組立体は、バッテリーモジュール受け入れ側部を定め、このバックプレーン組立体は、バックプレーン組立体と係合状態にあるバッテリーモジュールのうちの１つ又は２つ以上の電気コネクタと対応関係をなして係合するよう配置された電気コネクタを含む。バックプレーン組立体は、バッテリーモジュール受け入れ側部に二次元アレイの状態に配列された多数のバッテリーベイを備えるのが良い。バッテリーベイの各縦列は、右側半部及び左側半部を有する。バッテリーベイの一縦列に関し、バックプレーン組立体の電気コネクタは、縦列の左側半部及び縦列の右側半部のうちの一方上に位置決めされる。
【００５１】
アレイは、幅に関して偶数個のバッテリーベイであるのが良く、アレイは、バッテリーベイの１つ又は２つ以上の対をなす隣合う縦列から成るのが良い。各対は、バッテリーモジュール受け入れ側部に向いて見て、左縦列及び右縦列を定めるのが良い。バックプレーン組立体の電気コネクタは、バッテリーベイの左縦列に関し、左縦列の右側半部上に位置決めされ、バッテリーベイの右縦列に関し、右縦列の左側半部上に位置決めされるのが良い。かくして、バッテリーモジュールの多数の縦列に関しても、先行技術と比較して小さな電気ループ領域を作ることができ、それにより、ＥＭＩの減少が可能である。
【００５２】
アレイは、幅に関して奇数個のバッテリーベイでありかつ幅に関して３つ以上のバッテリーベイであるのが良い。アレイは、バッテリーベイの１つ又は２つ以上の対をなす隣合う縦列及びバッテリーベイの奇数個の縦列を有するのが良い。アレイが５つ以上の縦列を有する場合、各対をなす隣合う縦列は、別の対をなす隣合う縦列に隣接して位置するのが良い。縦列の各対は、バッテリーモジュール受け入れ側部に向いて見て、左縦列及び右縦列を定めるのが良い。バックプレーン組立体の電気コネクタは、バッテリーベイの左縦列に関し、左縦列の右側半部上に位置決めされ、バッテリーベイの右縦列に関し、右縦列の左側半部上に位置決めされるのが良い。バックプレーン組立体の電気コネクタは、バッテリーベイの奇数個の縦列に関し、奇数個の縦列に隣接して位置する縦列に関する半部と同一の奇数個の縦列の半部上に位置決めされるのが良い。
【００５３】
バッテリーベイの各縦列は、左側の縁及び右側の縁を有するのが良く、左側縁と右側縁は、距離ｄだけ隔てられる。バックプレーン組立体の電気コネクタは、縦列の左側半部上に位置決めされている縦列に関し、電気コネクタは、左側縁からｄの３０％以下、２０％以下又は１０％以下のところにそれぞれ位置決めされるのが良い。バックプレーン組立体の電気コネクタが縦列の右側半部上に位置決めされている縦列に関し、電気コネクタは、右側縁からｄの３０％以下、２０％以下又は１０％以下のところにそれぞれ位置決めされるのが良い。
【００５４】
本発明の第１及び第２の観点と関連して説明した任意の特徴を本発明の第３の観点と容易に組み合わせることができる。例えば、第３の観点のバックプレーン組立体は、本発明の第１及び第２の観点と関連して説明した多数の下部構造体、例えば電力下部構造体、冷却下部構造体及び排気下部構造体を含むのが良い。
【００５５】
次に、図面を参照して本発明の種々の実施形態について説明する。
【図面の簡単な説明】
【００５６】
【図１】本発明の一実施形態によるラック組立体の斜視図である。
【図２】図１のラック組立体の斜視図であり、バッテリーモジュールがいっぱいに装填された状態を示す図である。
【図３Ａ】本発明のラック組立体に使用できる空冷式バッテリーモジュールの前側フェースの斜視図である。
【図３Ｂ】図３Ａのバッテリーモジュールの後側フェースの斜視図である。
【図４Ａ】本発明のラック組立体に使用できる液冷式バッテリーモジュールの前側フェースの斜視図である。
【図４Ｂ】図４Ａのバッテリーモジュールの後側フェースの斜視図である。
【図５Ａ】図２のラック組立体の断面側面図である。
【図５Ｂ】図２のラック組立体の断面斜視図である。
【図６】本発明の一実施形態としてのラック組立体の断面側面図である。
【図７】本発明に従って４×４のアレイをなすバッテリーベイを含むラック組立体の略図である。
【図８】本発明の一実施形態に従って５×４のアレイをなすバッテリーベイを含むラック組立体の略図である。
【発明を実施するための形態】
【００５７】
本発明は、改良型バックプレーン組立体を提供しようとするものである。本発明の種々の実施形態を以下に説明するが、本発明は、これら実施形態には限定されず、これら実施形態の変形例は、特許請求の範囲に記載された本発明の範囲によってのみ限定されるべき本発明の範囲に十分に含まれると言える。
【００５８】
方向を示す用語、例えば「頂又は上」、「底又は下」、「上方」、「下方」、「垂直に」、「側方に」は、相対的な基準を提供するためだけの目的で本明細書において用いられており、任意の物品が使用の際にどのように位置決めされるようになっているか、あるいは組立体内に又は周囲環境に対してどのように設けられるようになっているかについての限定を何ら示唆するものではない。
【００５９】
加うるに、本明細書に対応した英文明細書において用いられている用語“couple”（訳文では、「結合する」）及びその変形語、例えば“coupled”（「結合され」）、“couples”、及び“coupling”は、別段の指定がなければ、間接的及び直接的な連結を含むことが意図されている。例えば、第１の物品が第２の物品に結合される場合、この結合は、直接的な連結によるものであって良くあるいは別の物品を介する間接的な連結によるものであって良い。また、互いに直に接触し又は互いに直に接触状態にある第１の材料及び第２の材料といった場合、これは、第１の材料と第２の材料が接着剤層の使用によって互いに直接くっつけられていることを含む。
【００６０】
さらに、本明細書に対応した英文明細書において用いられている単数形“a”、“an”、及び“the”は、文脈上別段の明示の指定がなければ、複数形をも含むものである。
【００６１】
図１を参照すると、本発明の一実施形態としてのラック組立体１００が示されている。ラック組立体１００は、基部１４と頂部１６を接合する側壁１０，１２を含む。仕切り壁１８が基部１４から頂部１６まで延びており、この仕切り壁は、ラック組立体１００を左側縦列及び右側縦列に分離している。各縦列は、バッテリーモジュールを受け入れる多数のバッテリーベイ２０を有する。各バッテリーベイ２０は、単一のバッテリーモジュールを受け入れ又は受け取るよう構成されているが、他の実施形態では、バッテリーベイは、２つ以上のバッテリーモジュールを受け入れるよう構成されているのが良い。側壁１０，１２及び仕切り壁１８は各々、ラック組立体１００中へのバッテリーモジュールの挿入中にバッテリーモジュールの適切な位置合わせ又は整列を助ける案内部材２２を有する。基部１４は、バッテリーベイ２０の下に空気流チャンバ２４（図１には示されていない）を収容している。基部１４の前部は、以下に詳細に説明するように空気を通すことができるベント付きダクト２６を備えている。
【００６２】
ラック組立体１００は、ラック組立体１００の後壁を構成するバックプレーン組立体２８を更に含む。ラック組立体の後側壁は、バックプレーン組立体２８のバッテリーモジュール受け入れ側部上に位置していると言える。以下に詳細に説明するように（図１には示されていないが）バックプレーン組立体２８は、多数の下部構造体を含む。図１では、電力下部構造体３０だけが見える。電力下部構造体３０は、各バッテリーベイ２０の後壁を形成し、この電力下部構造体は、多数の電力コネクタ３２及び光コネクタ３３を有し、これら電力コネクタ３２及び光コネクタ３３は、バッテリーモジュールに設けられた対応の電力ポート及び光ポートと係合し又は嵌合するよう配置されている。したがって、各バッテリーベイ２０は、バッテリーベイ内に挿入されたバッテリーモジュールと係合するための１組の電力コネクタ３２及び光コネクタ３３を備えている。
【００６３】
バスバー２４が２つの隣合う電力コネクタ３２を相互に接続するよう設けられており、その結果、電力が一方の電力コネクタ３２から別の電力コネクタに流れることができるようになっている。左下に位置する電力コネクタ３２は、船舶のＤＣバスに接続されるよう用いられる。電力コネクタ３２及び光コネクタ３３は、仕切り壁１８の近くに位置決めされ、この実施形態では、仕切り壁１８からｄの２０％以下の範囲内のところ位置決めされている。電力下部構造体は、電力コネクタと光コネクタの両方を有しているが、分かりやすくするために、以下、これを「電力及び通信下部構造体」ではなく「電力下部構造体」ということに注目されたい。
【００６４】
電力下部構造体３０は、各バッテリーベイに設けられた排気ポート３４を有する。各排気ポート３４は、各バッテリーベイ２０からバックプレーン組立体２８の排気下部構造体５８まで延びる流体経路を提供するが、これについては以下に詳細に説明する。電力下部構造体３０は、各バッテリーベイ２０に設けられた１組の冷却孔３６を更に有する。以下に詳細に説明するように、冷却孔３６は、電力下部構造体３０から冷却下部構造体５６まで流体経路を提供するのを助ける。
【００６５】
図１は、ラック組立体１００を空の形態で示している。すなわち、図１では、ラック組立体１００は、バッテリーモジュールが全く設置又は装填されない状態で示されている。バッテリーモジュール３８，５０、例えば図３Ａ、図３Ｂ、図４Ａ及び図４Ｂに示されたバッテリーモジュールは、ラック組立体１００に使用できる。図３Ａ及び図３Ｂを参照すると、ラック組立体１００内に設置できるバッテリーモジュール３８の一実施形態が示されている。図３Ａは、バッテリーモジュール３８の正面図、図３Ｂは、バッテリーモジュール３８の配面図である。バッテリーモジュール３８は、エンクロージャ４０内に積み重ね配列状態で設けられた多数のセル（ただし、図示されていない）を収容している。バッテリーモジュール３８の後側フェース上には、光通信ポート４２、電力ポート４４及び排気シール４６が設けられている。光通信ポート４２は、電力ポート４４の場合と同様、垂直整列状態で位置決めされている。バッテリーモジュール３８の下面上には、ヒートシンク４８が設けられ、このヒートシンクは、バッテリーモジュール３８からの熱の放散を助けるフィン付き構造を有する。バッテリーモジュール３８は、これが液体手段を介してバッテリーモジュール３８を冷却するポートを備えていないので、空冷式バッテリーモジュールである。
【００６６】
図４Ａ及び図４Ｂは、本発明に従って使用できる類似の実施形態としてのバッテリーモジュールを示している。図４Ａ及び図４Ｂは、設計がバッテリーモジュール３８と類似したバッテリーモジュール５０を示している。したがって、同一の特徴が同一の参照符号で示されている。しかしながら、バッテリーモジュール３８とは異なり、バッテリーモジュール５０は、液冷式であり、この目的のため、バッテリーモジュール５０の後側フェース上に冷却剤入口及び出口５２を備えている。使用にあたり、バッテリーモジュール（例えば、バッテリーモジュール３８，５０）がバッテリーモジュールをラック組立体の空のバッテリーベイ中に滑り込ませることによりラック組立体内に設置される。図１の実施形態では、ラック組立体１００は、複数のバッテリーモジュール３８（すなわち、空冷式バッテリーモジュール）を受け入れるよう設計されている。バッテリーモジュール３８を空のバッテリーベイ２０中に挿入する際、側壁１０，１２に設けられた案内部材２２及び仕切り壁１８は、挿入中、バッテリーモジュール３８を適正に整列させるのを助ける。
【００６７】
電力下部構造体３０の電力コネクタ３２、光コネクタ３３及び排気ポート３４の位置決め状態に起因して、バッテリーベイ２０内へのバッテリーモジュール３８の挿入の結果として、バッテリーモジュール３８の光ポート４２、電力ポート４４及び排気シール４６は、電力下部構造体３０の対応のコネクタと係合する。すなわち、光ポート４２が光コネクタ３３と係合し、電力ポート４４が電力コネクタ３２と係合し、排気シール４６が排気ポート３４と係合する。光ポート４２と光コネクタ３３の係合、電力ポート４４と電力コネクタ３２の係合、及び排気シール４６と排気ポート３４の係合は、当該技術分野において知られているブラインド式嵌合係合方式から成る。光ポート４２と対応の光コネクタ３３の係合は、光ポート４２を光コネクタ３３の光学的に通信可能な近接範囲内に至らせることを意味している。上述のブラインド式嵌合により、ユーザが手作業で各バッテリーモジュール３８をバックプレーン２８に連結する必要はない。各バッテリーモジュール３８とバックプレーン２８の光及び電気的係合は、バッテリーモジュール３８の後側フェース上と電力下部構造体３０上の両方における光／電力ポート４２／４４と光／電力コネクタ３３／３２の適正な整列、及び排気シール４６と排気ポート３４の適正な整列によって保証される。
【００６８】
図面に示されていないが、図４Ａ及び図４Ｂに示されているバッテリーモジュール５０は、バッテリーモジュール５０の後側フェースに設けられた流体ポート５２とブラインド式嵌合方式で対応関係をなして係合するよう構成された流体ポートを備えるバックプレーンを含むラック組立体内に設置できる。
【００６９】
バッテリーモジュール３８をラック組立体１００内に設置する際、ラック組立体１００の左側の側部のバッテリーベイ（図１に見える）に関し、バッテリーモジュール３８は、ヒートシンク４８が基部１４の方へ向いた状態で挿入される。ラック組立体１００の右側の側部のバッテリーベイに関し、バッテリーモジュール３８の後側フェース上の連結部が電力下部構造体３０の対応の接続部と係合するようにするために、バッテリーモジュール３８は、左側ベイ内のバッテリーモジュール３８に対して逆さまの状態で挿入されなければならない。換言すると、ラック組立体１００の右側の側部のバッテリーベイに関し、バッテリーモジュール３８は、ヒートシンク４８が基部１４から遠ざかる方向に向いた状態で挿入される。
【００７０】
いっぱいに詰め込まれたラック組立体１００が図２に示されている。各バッテリーベイ２０は、この中に挿入されたバッテリーモジュール３８を収容し、各バッテリーモジュールは、バックプレーン２８の電力下部構造体３０とブラインド式嵌合係合関係をなしている。以下に詳細に説明するように、スペース又は空冷チャネル６２が空気を通すことができるよう２つの垂直方向に隣合ったバッテリーモジュール相互間に存在する。左側縦列のバッテリーモジュールに関し、このスペースはまた、バッテリーモジュール対の最も上側のバッテリーモジュールのヒートシンク４８を受け入れ、これに対し、右側縦列のバッテリーモジュールに関し、このスペースはまた、バッテリーモジュール対の最も下側のバッテリーモジュールのヒートシンク４８を受け入れる。
【００７１】
次に図５を参照すると、いっぱいに詰め込まれたラック組立体１００の断面図が示されている。基部１４の空気流チャンバ２４は、空気を空気流チャンバ２４中に引き込むファン組立体５４を有する。バックプレーン２８が詳細に示されており、特に、バックプレーン２８の３つの垂直下部構造体、すなわち電力下部構造体３０、冷却下部構造体５６及び排気下部構造体５８の各々が詳細に示されている。
【００７２】
上述したように、電力下部構造体３０は、バッテリーモジュール３８の電力ポート４４及び光ポート４２に対応関係をなして連結された電力コネクタ３２及び光コネクタ３３を有する。バスバー２４が垂直方向に隣合っている電力コネクタ３２を相互に接続した状態で示されており、その結果、垂直方向に隣合ったバッテリーモジュール３８は、直列に互いに接続されている。電力下部構造体３０は、好ましくは、電力下部構造体３０内に設けられた電気部品に対するＥＭＩ遮蔽を提供するよう金属内に全体が封入されている。
【００７３】
電力下部構造体２８に隣接しかつこの背後には冷却下部構造体５６が設けられている。冷却下部構造体５６は、空気流チャンバ２４から各バッテリーベイ２０まで延びる流体連通経路を提供する。これを達成するため、ラック組立体１００は、ファン組立体５４によってかつダクト２６を経て空気流チャンバ２４内に引き込まれた空気が冷却下部構造体５６によって画定された容積部中に上方に流れることができるようにする１つ又は２つ以上の孔（図示せず）を有する。少しだけ図５Ｂを参照すると、冷却下部構造体５６は、冷却下部構造体５６からの空気流が電力下部構造体２８に設けられた冷却孔３６（図示せず）を経てバッテリーベイ２０に到達することができるようにするために冷却下部構造体５６に設けられた冷却孔６０を示すために別の角度から見た状態で示されている。冷却下部構造体５６の頂部は、冷却下部構造体５６中に引き込まれた空気が冷却孔６０中に押し込まれ、次に電力下部構造体３０に設けられた冷却孔３６（図５Ａ及び図５Ｂには示されていない）中に押し込まれ、そして空冷チャネル６２に沿って流されるようラック組立体１００の外部から封止されている。
【００７４】
排気下部構造体５８は、冷却下部構造体５６に隣接しかつこの背後に位置決めされている。かくして、排気下部構造体５８は、バッテリーベイ２０から見て最も遠くに位置する下部構造体である。冷却下部構造体５６と排気下部構造体５８は、共通のインターレース又はバリヤ６８を共有している。排気下部構造体５８は、バッテリーモジュール３８のうちの１つ又は２つ以上からの排気ガスをラック組立体１００から遠ざかる方向に差し向けることができるようにする容積部を提供する。図６を参照すると、図５Ａ及び図５Ｂに示されたラック組立体の拡大断面図が示されている。バッテリーモジュール３８は、各バッテリーモジュール３８内のセル６４の積み重ね配列状態を示すために断面で示されている。排気チャネル６６が冷却下部構造体５６を通って、電力下部構造体３０に設けられた各排気ポート３４から排気下部構造体５８によって画定された排気容積部まで延びている。ラック組立体１００の頂部では、排気下部構造体５８は、流体流路が各バッテリーモジュール３８からラック組立体１００の外部まで形成されるよう封止されてはいない。
【００７５】
使用にあたり、多数のバッテリーモジュール３８をラック組立体１００内に入れ、ついには、ラック組立体１００が部分的にか又は全体的かのいずれかの状態に充填される。上述したように、バッテリーモジュール３８をラック組立体１００内に入れるため、バッテリーモジュール３８を挿入するのに最初に後側フェースを空のバッテリーベイ２０に挿入する。バッテリーモジュール３８を嵌合位置に達するまでバッテリーベイ２０中に完全に挿入し、この嵌合位置では、光ポート４２及び電力ポート４４（バッテリーモジュール３８の）が光コネクタ３３及び電力コネクタ３２（電力下部構造体３０の）とブラインド式嵌合関係をなして係合し、排気シール４６（バッテリーモジュール３８の）が排気ポート３４（電力下部構造体３０の）とブラインド式嵌合関係をなして係合する。案内部材２２が電力下部構造体３０の対応のコネクタ／ポートに対してバッテリーモジュール３８のコネクタ／ポートの適正な整列又は位置合わせを助ける。
【００７６】
バッテリーパックの動作使用中、当該技術分野において知られているように、電気エネルギーがバッテリーモジュール３８の各々から電力下部構造体３０の電力コネクタ３２の使用により引き出されて船舶の種々の機能の実施のために用いられる。バッテリーモジュールの効率的な使用を保証するとともに潜在的な熱暴走を回避するためには、バッテリーモジュールの冷却は、バッテリーモジュールの動作中、極めて重要である。この目的のため、この実施形態では、ファン組立体５４が外部空気を空気流チャンバ２４中に引き込むために用いられている。空気は、冷却下部構造体５６中に押し込まれ、空気は、次に冷却下部構造体５６に形成された冷却孔６０を通り、次に電力下部構造体３０に形成された冷却孔３６を通って差し向けられる。冷却孔３６は、垂直方向に隣合うバッテリーモジュール３８を互いに隔てる（ならびにヒートシンク４８を受け入れる）空冷式チャネル６２と流体連通状態にある。ヒートシンク４８は、動作中のバッテリーモジュール３８によって出た熱エネルギーを、空冷式チャネル６２を通って流れる空気に伝達するのを助ける。次に、空気は、図５Ａで分かるようにラック組立体１００の前部を通って放出される。図５Ａの矢印は、空気流の方向を示している。
【００７７】
熱暴走の場合、排気ガスは、図６で分かるようにバッテリーモジュール３８内に蓄積する。排気ガスの放出を続けることにより、排気シール４６に設けられているシールが開き、それによりバッテリーモジュール３８から排気下部構造体５８までの流体連通経路が作られる。排気ガスは、排気ポート３４と係合状態にある排気シール４６を通り、排気チャネル６６に通って流れ、そして排気下部構造体５８中に流れる。次に、排気ガスは、排気下部構造体５８から上方に差し向けられ、好ましくはラック組立体１００を収容している部屋から離れた場所に差し向けられる。排気ガスの冷却は、排気チャネル６６を冷却下部構造体５６に直接通すことによって補強される。冷却下部構造体５６を通って延びる各排気チャネル６６の各部分にヒートシンク（図示せず）が設けられていることにより、排気ガスの冷却が一段と助長される。排気ガスが排気下部構造体５８に沿って上方に差し向けられているとき、排気ガスは、インターフェース６８を介する熱エネルギーの伝導によって更に冷却される。さらにまた、１つ又は２つ以上のヒートシンクが冷却下部構造体５６を排気下部構造体５８から隔てるインターフェース６８に設けられるのが良く、それにより冷却を更に助ける。冷却下部構造体５６からの排気チャネル６６の物理的分離に起因して、排気バスト冷却下部構造体５６を通って移動している空気の混合が行われない。幾つかの実施形態では、排気チャネル６６は、熱暴走を生じているバッテリーモジュール３８から出ている火炎が排気下部構造体５８に到達するのを阻止するためにフレームアレスタ（図示せず）を備えるのが良い。
【００７８】
本発明を特定の実施形態と関連して説明したが、本発明は、これら実施形態には限定されず、これら実施形態の変更例、改造例、及び変形例は、本発明の範囲から逸脱することなく、当業者によって実施できることは理解されるべきである。さらに、本明細書において説明した任意の観点又は実施形態の任意の部分を本明細書において説明した任意他の観点又は実施形態の任意の部分とともに具体化でき又は組み合わせることができる。
【００７９】
例えば、図１のラック組立体は、幅に関してベイ２つ分、高さに関してベイ１２個分のバッテリーベイのアレイを有しているが、任意のアレイをなすバッテリーベイを本発明に使用できることは理解されるべきである。例えば、ラック組立体は、単一の縦列をなすバッテリーベイを有することができ又は幅に関してベイ３つ分以上のアレイを有することができる。
【００８０】
図７は、幅に関してベイ４つ分（Ｃ１〜Ｃ４の符号が付けられている）及び高さに関してベイ４つ分のアレイをなすバッテリーベイの略図である。この例示の実施形態では、電力コネクタは、縦列Ｃ１及びＣ３の右側半部にかつ縦列Ｃ２及びＣ４の左側半部に設けられている。かくして、電力コネクタをバスバー６で相互に接続すると、結果として得られる電気ループ領域は、同一のアレイに対して最小限に抑えられるが、電力コネクタは、各ベイ内の中央に配置される。
【００８１】
図８は、幅に関してベイ５つ分（Ｃ１〜Ｃ５の符号が付けられている）及び高さに関してベイ４つ分のアレイをなすバッテリーベイの略図である。この例示の実施形態では、電力コネクタは、縦列Ｃ１及びＣ３の右側半部にかつ縦列Ｃ２、Ｃ４及びＣ５の左側半部に設けられている。かくして、電力コネクタをバスバー６で相互に接続すると、結果として得られる電気ループ領域は、同一のアレイに対して最小限に抑えられるが、電力コネクタは、各ベイ内の中央に配置される。
【００８２】
さらに、本発明のラック組立体を海運業におけるその使用と関連して説明したが、ラック組立体は、任意のエネルギー貯蔵装置をラック内に設けるとともにバックプレーン組立体と係合させることができるよう他の業界においても同様に使用できる。また、上記の開示内容から明らかなように、バックプレーン組立体は、ラックとは別個に機能することができる。例えば、ある特定の場合、バックプレーン組立体は、壁に組み込み可能であり、バッテリーモジュールを、ラックを必要としないでバックプレーン組立体に係合させることができる。例えば、バックプレーン組立体の電力接続部を電力下部構造体内に引っ込めることができ、その結果、電力下部構造体は、これと係合状態にある任意のバッテリーモジュールに対してある程度の支持作用を提供する。
【００８３】
したがって、本発明の範囲は、次の特許請求の範囲の記載に基づいてのみ定められる。
【図１】
2019516229.tif 000003
【図２】
2019516229.tif 000004
【図３Ａ】
2019516229.tif 000005
【図３Ｂ】
2019516229.tif 000006
【図４Ａ】
2019516229.tif 000007
【図４Ｂ】
2019516229.tif 000008
【図５Ａ】
2019516229.tif 000009
【図５Ｂ】
2019516229.tif 000010
【図６】
2019516229.tif 000011
【図７】
2019516229.tif 000012
【図８】
2019516229.tif 000013
【国際調査報告】
2019516229.tif 000014
2019516229.tif 000015
2019516229.tif 000016
2019516229.tif 000017